(57)【特許請求の範囲】
【請求項１】
第１の穴が形成されているシャーシと、
第２の穴が形成され、前記シャーシを覆うケースと、
回転操作軸を有する回転操作部品であり、前記回転操作軸が前記第１の穴に挿入され、かつ、前記第２の穴と対応する位置に配置され、前記回転操作軸が回動自在の状態で前記シャーシに固定された回転操作部品と、
前記回転操作軸を挿入する凹部を有し、前記凹部に前記回転操作軸の前記シャーシに固定された部分よりも先端側の部分が挿入されることによって前記回転操作軸に嵌着され、上部が前記第２の穴から突出し、前記シャーシと前記ケースとに近接状態で挟まれるように配置された円板形状のフランジが下部に一体形成され、前記凹部側の端部から前記フランジの外周端部まで続く下端面が前記シャーシの上面よりも上側に位置する回転操作つまみと、
を備え、
前記回転操作つまみの前記下端面は前記凹部側の端部と前記フランジの外周端部との中間に位置する中間部を含めて前記シャーシと近接状態となっており、
前記回転操作つまみに前記回転操作軸方向に対して斜め方向の外力が加わった場合には、前記下端面と前記シャーシ上面との抗力、及び、前記フランジ上面と前記ケース下面との抗力により前記回転操作つまみの変位が規制されることで、前記外力により前記回転操作軸が受ける曲げモーメントによる前記回転操作軸の変形を防止する回転操作軸の変形防止機構。
【請求項２】
前記ケースの前記第２の穴側の端部は前記フランジの外周端部よりも内周側に位置しており、
前記フランジは、前記フランジの上面が、前記ケースの前記第２の穴側の端部と前記フランジの外周端部と間で、前記ケースの下面と近接し、かつ、前記下端面と前記シャーシとが、前記中間部を含めて前記近接状態で配置されることにより、前記シャーシと前記ケースとに近接状態で挟まれていることを特徴とする請求項１に記載の回転操作軸の変形防止機構。
【請求項３】
前記回転操作つまみの外周は、前記フランジの上面と前記上部との間の径が前記前記上部の径より小さくなっていることを特徴とする請求項１または２に記載の回転操作軸の変形防止機構。
【請求項４】
請求項１から３に記載された回転操作軸の変形防止機構を備えた携帯無線機。 
【発明の詳細な説明】
【０００１】
【発明の属する技術分野】
この発明はボリューム、エンコーダ等の回転操作部品に係わり、特に、その回転操作軸の変形防止機構に関する。
【０００２】
【従来の技術】
従来の無線機等の回転操作部品の取付構造の例を図５に示す。図５に示すボリューム２の回転操作軸２ａを回動自在に支持する軸受け２ｂがシャーシ１の穴に挿通され、軸受け２ｂの外周面に設けられたおねじにナット３が螺合される。ナット３を締め付けることによりボリューム２がシャーシ１に固定される。
【０００３】
このようにシャーシ１に固定されたボリューム２の回転操作軸２ａはケース５の穴から外部に突出し、この回転操作軸２ａに回転操作つまみ７をつまみスプリング８を介して嵌着し、回転操作つまみ７がつまみスプリング８の弾力による摩擦により回転操作軸２ａに固定される。そして、回転装置つまみ７により回転操作軸２ａが回動操作される。
【０００４】
図６に示す無線機１０には図５に示す取付構造によりボリュームが取り付けられており、ボリュームの回転操作軸に嵌着された回転操作つまみ７とアンテナ９が無線機１０のケース５の外部に突出している。この無線機１０を傾斜させた状態で矢印に示す方向に落下させると、無線機１０が床と衝突したときに回転操作つまみ７に軸方向に対して斜め方向の撃力を受ける。
【０００５】
この撃力は回転操作軸２ａに曲げモーメントとして作用し、回転操作軸２ａが細いと、図７の矢印方向に回転操作軸２ａが曲げられる。このように回転操作軸２ａが曲がると、回転操作つまみ７により回転操作軸２ａを回転させることができず、スイッチのオンオフ、チャンネルの変更または音量の調整等ができなくなるという恐れがあった。そのため、回転操作軸２ａの径を大きくしなければならず、無線機を小型化するための障害となっていた。
【０００６】
特開平１１−１８９０７２号公報に提案された操作装置では、回転操作軸と嵌合する操作つまみの嵌合孔の奥に回転操作軸と当接するリブを設け、操作つまみに回転操作軸方向の押圧力が加わったときに操作つまみのリブが変形して回転操作軸の変形を防止する構成となっている。また、操作つまみを復元性のある素材で形成することも提案されている。
【０００７】
しかしながら、上記構成では、操作つまみが復元性のない素材で作られている場合は、操作つまみに衝撃力が加わった場合に操作つまみが破損して取り替えなければならない。操作つまみを復元性のある素材で形成する場合は操作つまみが柔らかいため、装置の品位が損なわれる。さらに、操作つまみに回転操作軸に対して直角方向の力が加わった場合に回転操作軸の曲りを防止することができないという問題があった。
【０００８】
【特許文献１】
特開平１１−１８９０７２号公報（第３頁、図１、図２）
【０００９】
【発明が解決しようとする課題】
この発明は上記した点に鑑みてなされたものであって、その目的とするところは、回転操作部品の回転操作軸の径を小さくし、硬質の操作つまみを嵌合させた場合にも操作つまみに衝撃力が加わったときに回転操作軸の変形が防止される回転操作軸の変形防止機構を提供することにある。
【００１０】
この発明の回転操作軸の変形防止機構は、
第１の穴が形成されているシャーシと、
第２の穴が形成され、前記シャーシを覆うケースと、
回転操作軸を有する回転操作部品であり、前記回転操作軸が前記第１の穴に挿入され、かつ、前記第２の穴と対応する位置に配置され、前記回転操作軸が回動自在の状態で前記シャーシに固定された回転操作部品と、
前記回転操作軸を挿入する凹部を有し、前記凹部に前記回転操作軸の前記シャーシに固定された部分よりも先端側の部分が挿入されることによって前記回転操作軸に嵌着され、上部が前記第２の穴から突出し、前記シャーシと前記ケースとに近接状態で挟まれるように配置された円板形状のフランジが下部に一体形成され、前記凹部側の端部から前記フランジの外周端部まで続く下端面が前記シャーシの上面よりも上側に位置する回転操作つまみと、
を備え、
前記回転操作つまみの前記下端面は前記凹部側の端部と前記フランジの外周端部との中間に位置する中間部を含めて前記シャーシと近接状態となっており、
前記回転操作つまみに前記回転操作軸方向に対して斜め方向の外力が加わった場合には、前記下端面と前記シャーシ上面との抗力、及び、前記フランジ上面と前記ケース下面との抗力により前記回転操作つまみの変位が規制されることで、前記外力により前記回転操作軸が受ける曲げモーメントによる前記回転操作軸の変形を防止することを特徴としている。
また、この発明の回転操作軸の変形防止機構は、さらに
前記ケースの前記第２の穴側の端部は前記フランジの外周端部よりも内周側に位置しており、
前記フランジは、前記フランジの上面が、前記ケースの前記第２の穴側の端部と前記フランジの外周端部と間で、前記ケースの下面と近接し、かつ、前記下端面と前記シャーシとが、前記中間部を含めて前記近接状態で配置されることにより、前記シャーシと前記ケースとに近接状態で挟まれていてもよい。
また、この発明の回転操作軸の変形防止機構は、さらに
前記回転操作つまみの外周は、前記フランジの上面と前記上部との間の径が前記前記上部の径より小さくなっていてもよい。
また、この発明の携帯無線機は上記した回転操作軸の変形防止機構を備えている。
【００１１】
【発明の実施の形態】
この発明の実施例である回転操作軸の変形防止機構を図面に基づいて説明する。図１はこの発明の実施例である回転操作軸の変形防止機構を示す断面図である。
【００１２】
図１に示すボリューム２の回転操作軸２ａを回動自在に支持する軸受け２ｂがシャーシ１の穴に挿通され、軸受け２ｂの外周面に設けられたおねじにナット３が螺合される。ナット３を締め付けることによりボリューム２がシャーシ１に固定される。このようにシャーシ１に固定されたボリューム２の回転操作軸２ａに回転操作つまみ４が嵌着され、回転操作つまみ４により回転操作軸２ａが回動操作される。
【００１３】
回転操作つまみ４の下部にフランジ４ａが円板状に一体に形成されている。フランジ４ａの下面はシャーシ１の上面に近接している。シャーシ１はケース５に覆われるが、フランジ４ａの上面はケース５の下面に近接する。このように回転操作つまみ４のフランジ４ａはシャーシ１とケース５との間に近接状態で介在する。回転操作つまみ４のフランジ４ａの上にケース５が被せられているので、回転操作つまみ４と回転操作軸２ａの間につまみスプリングを介在させなくても回転操作つまみ４が回転操作軸２ａから抜けることはない。
【００１４】
図２にシャーシ１に取付けられたボリュームに回転操作つまみ４が嵌着された状態でケース５が取付けられる状態を示している。また、図３に示す変形例ではケース６にボリュームおよび回転操作つまみ４が取付けられたシャーシ１が装着される状態を示している。この場合、ケース６の内面に突出形成されたフランジ近接面６ａが装着されたシャーシに取付けられた回転操作つまみ４のフランジ４ａと近接する。
【００１５】
図４は実施例の回転操作つまみ４に矢印方向の外力が加えられる状態を示している。この外力により回転操作つまみ４が嵌着された回転操作軸は曲げモーメントを受けるが、回転操作つまみ４のフランジ４ａがケース５とシャーシ１により変位が規制されるため回転操作軸は変形しない。
【００１６】
実施例は以上のように構成されているが発明はこれに限られず、例えば、回転操作部品としてボリュームの他にエンコーダや回転スイッチ等にこの発明を適用することも可能である。
【００１７】
【発明の効果】
この発明の回転操作軸の変形防止機構によれば、回転操作軸の径を小さくして無線機等を小型に形成できる。しかも、回転操作軸を操作するつまみに衝突等により衝撃力が加わっても回転操作軸が変形して機能が損なわれることが防止でき、部品交換の必要がない。
【００１８】
この発明を適用する場合に、従来の回転操作部品の取付構造に比べ回転操作つまみの形状を変えるだけでよく部品点数や組立て工数が増加することがない。
【００１９】
また、回転操作つまみのフランジの上にケースが被せられているので、回転操作つまみと回転操作軸の間につまみスプリングを介在させなくても回転操作つまみが回転操作軸から抜けることはない。
【００２０】
さらに、回転操作つまみを硬質の材料で作ることができ、製品の品位が落ちることがない。
【図面の簡単な説明】
【図１】この発明の実施例である回転操作軸の変形防止機構を示す断面図である。
【図２】同変形防止機構の組立て状態を示す分解斜視図である。
【図３】同変形防止機構の他の組立て状態を示す分解斜視図である。
【図４】同変形防止機構の作用を示す斜視図である。
【図５】従来の回転操作部品の取付構造の例を示す断面図である。
【図６】同回転操作部品の取付構造が用いられた無線機の落下状態を示す斜視図である。
【図７】同同回転操作部品の回転操作軸の変形状態を示す斜視図である。
【符号の説明】
１  シャーシ
２  ボリューム、２ａ  回転操作軸、２ｂ  軸受け
３  ナット
４  回転操作つまみ、４ａ  フランジ
５  ケース
６  ケース、６ａ  フランジ近接面
７  回転操作つまみ
８  つまみスプリング
９  アンテナ
１０  無線機
【図１】
0004925556.tif 000002
【図２】
0004925556.tif 000003
【図３】
0004925556.tif 000004
【図４】
0004925556.tif 000005
【図５】
0004925556.tif 000006
【図６】
0004925556.tif 000007
【図７】
0004925556.tif 000008